(57)【要約】【課題】棚に電気ヒータを備えたショーケースにおいて、棚を軽量・安価な構成にでき、且つ、電気ヒータ引出線の処理も容易とする。【解決手段】ショーケース１は、商品陳列用の棚１３に電気ヒータＨを備えて成るものであって、棚１３を金属製の本体２１と樹脂製の縁部材２２、２３とから構成する。縁部材２２、２３は本体２１の前後に取り付ける。縁部材２２、２３に、棚１３上を仕切る仕切部材２８を取り付けるための挿入孔２７を形成する。本体２１の前縁に取り付けられた縁部材２２に、商品落下防止用のガード３１を取り付けるための挿入孔３２を形成する。【選択図】図４
2005245697.tif 000002
【特許請求の範囲】
【請求項１】
商品陳列用の棚に電気ヒータを備えて成るショーケースにおいて、
前記棚は金属製の本体と樹脂製の縁部材とから構成されていることを特徴とするショーケース。
【請求項２】
前記縁部材は前記本体の前後に取り付けられていることを特徴とする請求項１のショーケース。
【請求項３】
前記縁部材に、前記棚上を仕切る仕切部材を取り付けるための取付部を形成したことを特徴とする請求項２のショーケース。
【請求項４】
前記本体の前縁に取り付けられた前記縁部材に、商品落下防止用のガードを取り付けるための取付部を形成したことを特徴とする請求項２又は請求項３のショーケース。
【請求項５】
前記本体の前縁に取り付けられた前記縁部材に、商品表示具を取り付けるための取付部を形成したことを特徴とする請求項２、請求項３又は請求項４のショーケース。
【請求項６】
前記縁部材に、前記電気ヒータの引出線収納部を設けたことを特徴とする請求項１、請求項２、請求項３、請求項４又は請求項５のショーケース。
【請求項７】
前記引出線収納部を開閉自在に覆う蓋を前記縁部材に設けたことを特徴とする請求項６のショーケース。
【請求項８】
前記棚を架設するための支柱に形成された係合孔に挿入係合される係合部を備え、該係合部の先端部に溝を形成したことを特徴とする請求項１、請求項２、請求項３、請求項４、請求項５、請求項６又は請求項７のショーケース。
【発明の詳細な説明】
【技術分野】
【０００１】
本発明は、商品陳列用の棚に電気ヒータを備えたショーケースに関するものである。
【背景技術】
【０００２】
従来より此の種ショーケースは、スーパーマーケットやコンビニエンスストアなどの店舗に設置され、商品の陳列販売に供されている。特に、缶飲料やペットボトル入り飲料を加温して販売するホット販売用のショーケースは、例えば、周囲を透明ガラスにて囲繞された陳列室を備え、この陳列室内に複数台の棚を架設して、この棚上に商品を陳列している。陳列室の前面若しくは前後面は透明ガラスから成る扉にて開閉自在とされており、棚は陳列室の四隅に立設された棚支柱に架設されている。陳列室内には下部に設けられた冷却器と熱交換した冷気が循環され、所定の冷蔵温度とされる。
【０００３】
一方、陳列室の下部は通常の網棚とされるものの、上部の棚は金属板で構成し、電気ヒータを取り付けている。そして、この上部の棚にて商品を加温する場合には、当該棚より上方をその下方の陳列室と区画し、冷気の循環を阻止した状態で電気ヒータに通電し、金属製の棚全体を加熱して、棚上の商品を加温する方式が採られていた（例えば、特許文献１、特許文献２参照）。
【特許文献１】特開２００３−１９４４５３号公報
【特許文献２】特開２００３−２５０６７５号公報
【発明の開示】
【発明が解決しようとする課題】
【０００４】
しかしながら、従来の加温用の棚は全体が金属板で組み立てられていたため、重量も嵩み、コスト的にも問題があった。また、電気ヒータの引出線の処理にも面倒な作業が必要となっていた。
【０００５】
本発明は、係る従来の技術的課題を解決するために成されたものであり、棚に電気ヒータを備えたショーケースにおいて、棚を軽量・安価な構成にでき、且つ、電気ヒータ引出線の処理も容易とすることを目的とする。
【課題を解決するための手段】
【０００６】
本発明のショーケースは、商品陳列用の棚に電気ヒータを備えて成るものであって、棚を金属製の本体と樹脂製の縁部材とから構成したことを特徴とする。
【０００７】
請求項２の発明のショーケースは、上記において縁部材は本体の前後に取り付けられていることを特徴とする。
【０００８】
請求項３の発明のショーケースは、上記において縁部材に、棚上を仕切る仕切部材を取り付けるための取付部を形成したことを特徴とする。
【０００９】
請求項４の発明のショーケースは、請求項２又は請求項３の発明において、本体の前縁に取り付けられた縁部材に、商品落下防止用のガードを取り付けるための取付部を形成したことを特徴とする。
【００１０】
請求項５の発明のショーケースは、請求項２、請求項３又は請求項４の発明において、本体の前縁に取り付けられた縁部材に、商品表示具を取り付けるための取付部を形成したことを特徴とする。
【００１１】
請求項６の発明のショーケースは、上記各発明において縁部材に、電気ヒータの引出線収納部を設けたことを特徴とする。
【００１２】
請求項７の発明のショーケースは、上記において引出線収納部を開閉自在に覆う蓋を縁部材に設けたことを特徴とする。
【００１３】
請求項８の発明のショーケースは、上記各発明において棚を架設するための支柱に形成された係合孔に挿入係合される係合部を備え、この係合部の先端部に溝を形成したことを特徴とする。
【発明の効果】
【００１４】
本発明では、商品陳列用の棚に電気ヒータを備えて成るショーケースにおいて、棚を金属製の本体と樹脂製の縁部材とから構成したので、例えば請求項２の如く本体の前後に取り付けることにより、請求項３の如き棚上を仕切る仕切部材を取り付けるための取付部を樹脂製の縁部材に容易に形成することができるようになる。
【００１５】
また、請求項４の如く商品落下防止用のガードを取り付けるための取付部も前縁の縁部材に容易に形成することができるようになると共に、請求項５の如く商品表示具を取り付ける取付部も容易に形成することができる。これらにより、電気ヒータを備えた棚の重量を軽量化しながら、その生産コストも削減することができるようになる。
【００１６】
更に、請求項６の如く縁部材に電気ヒータの引出線収納部を設ければ、電気ヒータの引出線も容易に収納可能となる。特に、請求項７の如く引出線収納部を開閉自在に覆う蓋を縁部材に設ければ、引出線を安定的に収納できるようになるとともに、外観も向上する。
【００１７】
また、請求項８の如く棚を架設するための支柱に形成された係合孔に挿入係合される係合部の先端部に溝を形成すれば、係合部を係合孔に挿入した状態で、溝を係合孔の縁に係合させることにより、棚を安定的に支柱に架設することができるようになる。この場合、係合部の寸法は拡大しないので、係合孔を拡大する必要が無くなり、支柱の強度低下も来さないものである。
【発明を実施するための最良の形態】
【００１８】
以下、図面に基づき本発明の実施形態を詳述する。図１は本発明の一実施例の４面ガラスタイプのショーケース１の斜視図、図２はショーケース１の棚１３部分の透視拡大斜視図、図３は棚１３と支柱６の拡大斜視図である。ショーケース１は断熱壁４の四隅に立設された支柱６・・・と、この支柱６・・・に填め込まれた左右及び後面の透明壁（透明ガラス製）７・・及び前面の開閉扉（透明壁。透明ガラス製）８と、天壁９とを備えており、断熱壁４上に透明壁７・・、開閉扉８及び天壁９で囲繞された陳列室１１を構成している。
【００１９】
断熱壁４の下方には図示しない機械室が構成され、この機械室に冷却装置の冷媒サイクルを構成する圧縮機や凝縮器が設置されている。断熱壁４上に取り付けられた底壁１２の下側には前記冷却装置の冷媒サイクルを構成する冷却器と送風機が設置されており、この冷却器と熱交換した冷気を送風機で陳列室１１内に循環することで、陳列室１１内を所定の冷蔵温度に冷却可能としている。
【００２０】
この陳列室１１内には商品陳列用の上下五段の棚１３、１３、１３、１４、１４が架設されている。この場合、各棚１３・・、１４・は支柱６・・・に上下に所定間隔で複数形成された係合孔１６・・・に後述する如く係合することで架設されるが、下側二段の棚１４、１４は網棚とされている。
【００２１】
一方、上方三段の棚１３・・は、商品を加温販売可能な棚とされている。即ち、棚１３は図４、図５に示すように矩形金属板から成る本体２１と、この本体２１の前後縁に取り付けられた硬質樹脂製の縁部材２２、２３などから構成されている。この本体２１の内面には電気ヒータＨが取り付けられており、棚１３・・上にて缶入り飲料やペットボトル入り飲料などの商品を加温販売する場合には、最も下の棚１３から上への冷気循環を停止した状態で、電気ヒータＨに通電し、棚１３の本体２１上の商品を加熱する。
【００２２】
縁部材２２、２３には、本体２１上にて相互に対向する位置に挿入孔（取付部）２６・・・、２７・・・が所定間隔を存して複数一体成形されている。そして、前後で対向する位置の挿入孔２６、２７には図６に示す如く線条（金属細棒）から成る仕切部材２８の前後端が挿入されて取り付けられる。仕切部材２８は商品の幅に合わせて棚１３（本体２１）上を左右に仕切るものであるが、その取り付けは例えば片方の端部を挿入した状態で仕切部材２８の弾性を利用して撓ませ、もう片方を挿入することにより達成される。
【００２３】
また、前縁の縁部材２２には図８の如く棚１３を前斜めに低く傾斜した状態で架設した場合に商品の落下を防止するためのガード３１が取り付けられる。この場合、縁部材２２の上面には挿入孔（取付部）３２・・が一体成形されており、この挿入孔３２・・に図７の如くガード３１を上から挿入して取り付けるものである。
【００２４】
更に、この前縁の縁部材２２の前面には、商品の値札や名称、加温商品である旨の表示、或いは、商品の温度を表示する温度計などの商品表示具３３を取り付けるための溝（取付部）３４・・が一体に成形されている。商品表示具３３は図９に示すようにこの溝３４・・に両端及び中央部が挿入されて棚１３の前面に取り付けられるものである。
【００２５】
一方、後縁の縁部材２３内には、図１０〜図１４に示すように下方に開口した引出線収納部３６が凹陥形成されている。この引出線収納部３６内には電気ヒータＨの引出線（給電線）Ｈ１が収納される（図１１、図１２では電気ヒータＨを示していない）。このとき、引出線収納部３６は下面全体が開口しているので、収納も容易となる。また、引出線収納部３６の下面開口は回動自在の蓋３７にて開閉自在に閉塞される。これにより、引出線Ｈ１が脱落することも無くなると共に、引出線Ｈ１が外部から隠蔽されるので、外観も向上する。
【００２６】
ここで、棚１３の後両側は、受け部材４１を介して係合孔１６に保持されるが、前両側は係合部４２が係合孔１６内に挿入されて保持される。即ち、本体２１の前端部内側には両側外方に突出し且つ前方に屈曲された鋼棒から成る係合部４２が取り付けられており、この係合部４２の先端部には溝４３が切削加工されている（図１０）。そして、この係合部４２、４２が前両側の支柱６、６の係合孔１６、１６に挿入されると、溝４３が係合孔１６の縁に係合するかたちとなる。これにより、棚１３を安定的に支柱６に架設することができるようになる。
【００２７】
この場合、例えば係合部４２を潰して矩形状とし、係合孔１６に挿入した際に抜け難くなるようにした場合には、係合孔１６自体を拡張しなければならなくなり、支柱６の強度に問題が生じるが、本発明の如く溝４３を切削加工すれば、係合部４２の寸法は拡大しないので、係合孔１６を拡大する必要が無くなり、支柱６の強度低下も来さない。
【００２８】
尚、実施例では４面ガラスタイプのショーケースを例にとって説明したが、それに限らず、電気ヒータを備えた棚を有するショーケース全般に本発明は有効である。
【図面の簡単な説明】
【００２９】
【図１】本発明の一実施例のショーケースの斜視図である。
【図２】図１のショーケースの棚部分の透視拡大斜視図である。
【図３】図１のショーケースの棚と支柱の拡大斜視図である。
【図４】図１のショーケースの棚の前方斜視図である。
【図５】図４の棚の後方斜視図である。
【図６】図４の棚のもう一つの斜視図である。
【図７】図７の棚の更にもう一つの斜視図である。
【図８】図１のショーケースに棚を傾斜して架設した状態の側面図である。
【図９】図４の棚の前端部の斜視図である。
【図１０】図４の棚の前端隅部の拡大斜視図である。
【図１１】図４の棚の後部縦断側面図である。
【図１２】図４の棚のもう一つの後部縦断側面図である。
【図１３】図１のショーケースに棚を架設した状態の棚後部の下方斜視図である。
【図１４】図１のショーケースに棚を架設した状態の棚後部のもう一つの下方斜視図である。
【符号の説明】
【００３０】
１  ショーケース
４  断熱壁
６  支柱
１１  陳列室
１３  棚
１６  係合孔
２１  本体
２２、２３  縁部材
２６、２７、３２  挿入孔
２８  仕切部材
３１  ガード
３３  商品表示具
３４  溝
３６  引出線収納部
３７  蓋
４２  係合部
４３  溝
Ｈ  電気ヒータ
Ｈ１  引出線
【図１】
2005245697.tif 000003
【図２】
2005245697.tif 000004
【図３】
2005245697.tif 000005
【図４】
2005245697.tif 000006
【図５】
2005245697.tif 000007
【図６】
2005245697.tif 000008
【図７】
2005245697.tif 000009
【図８】
2005245697.tif 000010
【図９】
2005245697.tif 000011
【図１０】
2005245697.tif 000012
【図１１】
2005245697.tif 000013
【図１２】
2005245697.tif 000014
【図１３】
2005245697.tif 000015
【図１４】
2005245697.tif 000016